(57)【要約】      （修正有）【課題】ドアの開放状態で、誤操作によりラッチボルトがロックされても、ロックを自動的に解除することができるようにしたロック機能付きドア錠を提供。【解決手段】ラッチボルト１４を施錠状態に保持するロック機構３０を、下降停止状態でラッチボルトを後退動させるカムアーム２０の先端部背面と前後で対向して、カムアームの解除方向への揺動を阻止する昇降可能なストッパ部材３１と、ラッチボルトと一体に移動する解除アーム３２と、サムターンまたはシリンダ錠の施解錠操作キーの回動操作によって揺動され、揺動側端部が解除アーム３２の後退動域に臨むロック位置と、ロック位置で解除アームの後退動により押圧されて上方に揺動し、後退動域から上方に退避するロック解除位置との間で揺動可能とされ、上方への揺動時にストッパ部材を上方に移動させるロックカム３５とで構成する。【選択図】図２
2012251334.tif 000002
【特許請求の範囲】
【請求項１】
フロントプレートを有し、そのフロントプレートにラッチ挿入孔が形成された錠ケースと、前記ラッチ挿入孔から出没可能なラッチヘッドを先端部に有するスライド可能なラッチボルトと、そのラッチボルトをラッチ挿入孔に向けて付勢するラッチばねと、前記錠ケースの外部に設けられるレバーハンドルの操作により揺動されるカムアームを有し、そのカムアームの揺動によってラッチヘッドがラッチ挿入孔内に没入する方向にラッチボルトを後退動させるラッチカムと、サムターンの回転操作またはシリンダ錠の施解錠用操作キーによる回転操作によって前記ラッチボルトがラッチ挿入孔から突出する施錠状態にラッチボルトをロックするロック機構を有してなるロック機能付きドア錠において、
前記ロック機構が、錠ケース内に昇降自在に組み込まれ、下降停止位置で前記カムアームの先端部背面と前後で対向して、そのカムアームが解錠方向に揺動するのを阻止するストッパ部材と、前記ラッチボルトに連結されて、そのラッチボルトと一体となってスライドする解除アームと、サムターンまたはシリンダ錠の操作キーの回転によって揺動操作され、前記解除アームの後退動域に揺動側端部が臨み、前記解除アームがラッチボルトと共に後退動した際、その解除アームで押圧されて上方に揺動して前記カムアームの先端部の揺動を阻害することのない位置まで前記ストッパ部材を上方に移動させるロックカムとからなることを特徴とするロック機能付きドア錠。
【発明の詳細な説明】
【技術分野】
【０００１】
この発明は、ロック機能付きのドア錠に関する。
【背景技術】
【０００２】
ドアを施解錠するドア錠として、レバーハンドルの揺動操作によって錠ケースのフロントプレートに形成されたラッチ挿入孔から出没されるラッチボルトと、サムターンの回動操作またはシリンダ錠の施解錠用操作キーによる回動操作によってフロントプレートに形成されたボルト挿入孔から出没されるデッドボルトの二つのボルトを具えたものが従来から知られている。
【０００３】
上記のようなドア錠においては、ラッチボルトとデッドボルトを上下に間隔をおいて設ける必要があるため、大型化するという不都合がある。
【０００４】
そのような不都合を解消するため、近年では、例えば、特許文献１に記載されているように、ラッチボルトの後退動域にサムターンの回動操作またはシリンダ錠の施解錠用操作キーの回動操作によって操作されるロック手段を設け、そのロック手段によってラッチボルトをロックするようにしたロック機能付きのドア錠が数多く提案されている。
【先行技術文献】
【特許文献】
【０００５】
【特許文献１】特開平９−１６５９５８号公報
【発明の概要】
【発明が解決しようとする課題】
【０００６】
ところで、上記のロック機能付きドア錠においては、ドアの開放状態でサムターンが誤って操作され、ラッチボルトがロック状態とされる場合がある。このとき、ドアが急激に閉鎖されると、ラッチボルトは、先端のラッチヘッドがラッチ挿入孔から外方に突出する状態にあるため、ラッチヘッドがドア枠の縦枠に衝撃的に衝突して大きな衝撃音が発生し、縦枠やドア錠あるいはそのドア錠が取付けられたドアを損傷させる場合がある。
【０００７】
この発明の課題は、ドアの開放状態で、誤操作によりラッチボルトがロックされても、そのロックを自動的に解除することができるようにしたロック機能付きドア錠を提供することである。
【課題を解決するための手段】
【０００８】
上記の課題を解決するために、この発明においては、フロントプレートを有し、そのフロントプレートにラッチ挿入孔が形成された錠ケースと、前記ラッチ挿入孔から出没可能なラッチヘッドを先端部に有するスライド可能なラッチボルトと、そのラッチボルトをラッチ挿入孔に向けて付勢するラッチばねと、前記錠ケースの外部に設けられるレバーハンドルの操作により揺動されるカムアームを有し、そのカムアームの揺動によってラッチヘッドがラッチ挿入孔内に没入する方向にラッチボルトを後退動させるラッチカムと、サムターンの回転操作またはシリンダ錠の施解錠用操作キーによる回転操作によって前記ラッチボルトがラッチ挿入孔から突出する施錠状態にラッチボルトをロックするロック機構を有してなるロック機能付きドア錠において、前記ロック機構が、錠ケース内に昇降自在に組み込まれ、下降停止位置で前記カムアームの先端部背面と前後で対向して、そのカムアームが解錠方向に揺動するのを阻止するストッパ部材と、前記ラッチボルトに連結されて、そのラッチボルトと一体となってスライドする解除アームと、サムターンまたはシリンダ錠の操作キーの回転によって揺動操作され、前記解除アームの後退動域に揺動側端部が臨み、前記解除アームがラッチボルトと共に後退動した際、その解除アームで押圧されて上方に揺動して前記カムアームの先端部の揺動を阻害することのない位置まで前記ストッパ部材を上方に移動させるロックカムとからなる構成を採用したのである。
【０００９】
上記の構成からなるドア錠において、そのドア錠が取付けられるドアの開放状態では、ラッチばねの押圧により、ラッチボルトは、先端のラッチヘッドがラッチ挿入孔から外部に突出する状態にある。
【００１０】
このとき、サムターンが誤ってロック位置まで回転操作されると、ロックカムが解除アームの後退動域に揺動側端部が臨む位置まで揺動し、そのロックカムの揺動によりストッパ部材が下降動して、カムアームの先端部背面と前後で対向する状態となってカムアームの解錠方向への揺動を阻止する。このため、レバーハンドルを解錠方向に揺動させることができず、ラッチボルトはロック状態に保持される。
【００１１】
上記のようなラッチボルトのロック状態でドアが閉鎖方向に揺動され、ラッチボルトの先端のラッチヘッドに形成された傾斜面がドア枠の縦枠に当接すると、ラッチボルトに押し込み力が負荷される。その押し込み力によりラッチボルトおよびそのラッチボルトに連結された解除アームが共に後退動する。その解除アームの後退動初期において、解除アームはロックカムを押圧する。その押圧により、ロックカムが上方に向けて揺動すると共にストッパ部材がロック解除位置まで引き上げられ、ラッチボルトのロックが解除される。
【発明の効果】
【００１２】
この発明に係るドア錠においては、上記のように、ドアの開放状態でラッチボルトが誤操作によりロックされても、ドアを閉鎖することにより、そのロックを自動的に解除することができ、ラッチボルトの後退動を可能とすることができる。このため、大きな衝撃音を発生させることがなく、また、縦枠やドア錠あるいはそのドア錠が取付けられたドアの損傷を防止することができる。
【図面の簡単な説明】
【００１３】
【図１】この発明に係るロック機能付きドア錠の実施の形態を示す正面図
【図２】図１の縦断面図
【図３】図２の一部切欠平面図
【図４】ラッチボルトを後退動させた状態の縦断面図
【図５】ラッチボルトのロック状態を示す断面図
【図６】ラッチボルトのロック解除の途中の状態を示す断面図
【図７】ロック機構を構成する各種部品の分解斜視図
【発明を実施するための形態】
【００１４】
以下、この発明の実施の形態を図面に基づいて説明する。図１に示すように、ドア１の戸先側端面に埋設される角形の錠ケース１１はフロントプレート１２を有し、そのフロントプレート１２はドア１の戸先側端面に衝合され、ドア１にねじ込まれる図示省略のねじの締め付けによってドア１に固定される。
【００１５】
図２に示すように、フロントプレート１２にはラッチ挿入孔１３が形成されている。一方、ドア枠２の縦枠２ａには、上記ラッチ挿入孔１３に対応してストライク孔３が設けられている。
【００１６】
錠ケース１１の内部にはラッチボルト１４が組み込まれている。ラッチボルト１４は、ロッド部１５の先端部にラッチヘッド１６を設け、ロッド部１５の後端部に大径の係止突部１７を形成した構成とされ、上記ラッチヘッド１６は、図３に示すように、平面三角形とされて、ストライク孔３に係合可能な係合面１６ａと、その係合面１６ａに対して傾斜する傾斜面１６ｂとが形成されている。
【００１７】
ラッチボルト１４は、ラッチヘッド１６がラッチ挿入孔１３から出没するようスライド自在の支持とされ、ロッド部１５の外側に設けられたラッチばね１８によって突出する方向に向けて付勢されている。
【００１８】
ラッチボルト１４の後端側には、ラッチカム１９が設けられている。ラッチカム１９は、カムアーム２０の一端部にボス部２１を設けた構成とされ、上記ボス部２１が、図１に示すように、錠ケース１１の対向する側板１１ａのそれぞれに形成されたボス挿入孔２２内に挿入されて回転自在に支持されている。
【００１９】
図２に示すように、カムアーム２０の先端部には二股片２３が形成され、その二股片２３間にラッチボルト１４のロッド部１５が挿入されている。二股片２３は、ラッチボルト１４の係止突部１７に対して係合可能とされている。
【００２０】
また、カムアーム２０の側面には突起２４が設けられ、一方、錠ケース１１の側板１１ａにはボス部２１を中心とする円弧状のガイド孔２５が形成され、そのガイド孔２５に突起２４が挿入され、その突起２４がガイド孔２５の両端に当接する範囲内においてラッチカム１９は揺動自在とされている。
【００２１】
ここで、ラッチカム１９のカムアーム２０は、ガイド孔２５の一端に突起２４が当接する停止位置が施錠位置とされ、上記突起２４がガイド孔２５の他端に当接する停止位置が解錠位置とされている。
【００２２】
図１および図２に示すように、ボス部２１には、両端面に至る軸方向の角孔２６が形成され、その角孔２６内に角軸２７が挿入されている。角軸２７の錠ケース１１から外部に位置する両端部にはレバーハンドル２８が取付けられ、そのレバーハンドル２８を揺動操作することによってラッチカム１９が揺動するようになっている。
【００２３】
図１は、レバーハンドル２８が施錠位置に配置されている状態を示し、そのレバーハンドル２８を同図の時計方向(解錠方向)に揺動操作すると、そのレバーハンドル２８と同方向にラッチカム１９が揺動し、図２に示すように、カムアーム２０の二股片２３が係止突部１７に係合して、ラッチヘッド１６がラッチ挿入孔１３内に没入する方向にラッチボルト１４を後退動させるようになっており、そのラッチボルト１４の後退動によってラッチヘッド１６とストライク孔３の係合が解除するようになっている。
【００２４】
ラッチカム１９は、錠ケース１１の下部内に組み込まれたレバー作動ばね２９によって施錠位置に向けて付勢されている。
【００２５】
図２に示すように、錠ケース１１内の上部には、ラッチボルト１４がラッチ挿入孔１３から突出する施錠状態にラッチボルト１４をロックするロック機構３０が設けられている。
【００２６】
図２に示すように、ロック機構３０は、カムアーム２０の先端部背面と前後で対向して、そのカムアーム２０が解錠方向に揺動するのを阻止する下降停止位置と、揺動を阻害することのない上昇停止位置との間で昇降可能なストッパ部材３１と、ラッチボルト１４に連結されて、そのラッチボルト１４と一体となってスライドする解除アーム３２と、サムターン３３またはシリンダ錠３４の施解錠用操作キーの回転によって揺動操作され、その揺動側端部が上記解除アーム３２の後退動域に臨むロック位置と、そのロック位置で解除アーム３２の後退動により押圧されて上方に揺動し、上記後退動域から上方に退避するロック解除位置との間で揺動可能とされ、その上方への揺動時に上記ストッパ部材３１を上方に移動させるロックカム３５とからなっている。
【００２７】
上記の構成からなるロック機構３０において、ストッパ部材３１を昇降自在とするため、ここでは、そのストッパ部材３１の側面に突起部３６を設け、その突起部３６を錠ケース１１の対向する側板１１ａに形成された上下方向に長いガイド孔３７内にスライド自在に嵌合している。
【００２８】
図２および図７に示すように、解除アーム３２は、Ｌ形とされ、その一端部には半割筒部３２ａが設けられ、その半割筒部３２ａをラッチボルト１４のロッド部１５に設けられた対向一対のフランジ１５ａ間に嵌合して、ラッチボルト１４に連結している。
【００２９】
また、解除アーム３２は、その側面に設けられたガイド突起３８を錠ケース１１の側板１１ａの内側面に形成された左右方向に長いガイド孔３９内にスライド自在に嵌合して、ラッチボルト１４のスライド方向に移動自在の支持とされている。
【００３０】
図２、図５および図７に示すように、ロックカム３５は、長方形状をなし、その一端部にはボス部４０が設けられている。図１に示すように、ボス部４０は、錠ケース１１の側板１１ａに形成されたボス挿入孔４１内に挿入されて回転自在に支持されている。ボス部４０には、サムターン３３の角軸およびシリンダ錠３４の内筒連結用の角孔４０ａが設けられている。
【００３１】
ロックカム３５は、長さ方向をほぼ水平とする横向きの停止姿勢がロック解除位置とされ、そのロック解除位置から下向きにほぼ９０°回転して縦向きの停止姿勢がロック位置とされている。
【００３２】
ロックカム３５の回転角をほぼ９０°とするため、ここでは、図１に示すように、錠ケース１１の側板１１ａにボス部４０を中心とする円弧状のガイド孔４９を形成し、ロックカム３５に設けられたガイドピン５０をそのガイド孔４９内にスライド自在に挿入している。
【００３３】
ロックカム３５のボス部４０には、カム突起４２が形成され、そのカム突起４２は、ロックカム３５がロック位置に向けて回動した際に、ストッパ部材３１の上部に形成されたフック片部４３の端部を押し下げてストッパ部材３１を下降停止位置に保持するようになっている。
【００３４】
また、ロックカム３５の揺動側端部にはピン４４が突設されている。ピン４４は、ロックカム３５がロック解除位置に向けて回動した際に、ストッパ部材３１のフック片部４３の端部下面に係合してストッパ部材３１を上昇停止位置まで引き上げるようになっている。
【００３５】
ロックカム３５は、その一側方に設けられたクリックばね４５によってロック位置またはロック解除位置に保持される。クリックばね４５は、一対のキック片部４６、４７を有し、一方のキック片部４６が錠ケース１１の側板１１ａ内面に突設された係止ピン４８に連結され、他方のキック片部４７がロックカム３５に連結されている。
【００３６】
クリックばね４５は、係止ピン４８とロックカム３５の回動中心を結ぶ直線をデッドラインとして、ロックカム３５に対する回転付勢力の方向が切り換わるようになっている。すなわち、他方のキック片部４７のロックカム３５に対する連結位置がそのデッドライン上に位置する状態でロックカム３５をロック方向に向けて回転付勢し、また、デッドライン下に位置する状態でロックカム３５をロック解除方向に向けて回転付勢するようになっている。
【００３７】
実施の形態で示すロック機能付きドア錠は上記の構造からなり、図２は、ロック機構３０のストッパ部材３１が上昇停止位置に位置して、ロック機構３０がラッチボルト１４のロックを解除している状態を示す。そのロック解除状態で図１に示すレバーハンドル２８を解錠位置に向けて揺動すると、ラッチカム１９のカムアーム２０が解錠位置に向けて揺動し、その揺動初期にカムアーム２０の二股片２３が係止突部１７に係合して、ラッチボルト１４が後退動する方向に押圧する。
【００３８】
上記押圧力の付加によりラッチボルト１４が後退動し、図４に示すように、ラッチヘッド１６とストライク孔３の係合が解除する。このため、レバーハンドル２８を引き押しすることにより、ドア１が開放する。
【００３９】
ドア１を開放し、レバーハンドル２８から手を離すと、レバー作動ばね２９の弾性力によってラッチカム１９は施錠位置に向けて揺動し、レバーハンドル２８は施錠位置に戻される。また、ラッチボルト１４は、ラッチばね１８の押圧により外方に向けて移動して、ラッチヘッド１６がラッチ挿入孔１３から突出する状態とされる。
【００４０】
ラッチヘッド１６の突出状態でドア１を閉鎖位置に向けて揺動すると、ドア１が閉鎖される直前にラッチヘッド１６の傾斜面１６ｂがドア枠２の縦枠２ａに当接して、ラッチボルト１４に押し込み力が負荷され、その押し込み力によりラッチボルト１４がラッチばね１８の弾性に抗して後退動し、ラッチヘッド１６がラッチ挿入孔１３内に没入する。
【００４１】
ドア１が閉鎖し、ラッチヘッド１６がストライク孔３に対向すると、ラッチばね１８の復元弾性により、ラッチボルト１４が外方に向けて移動して、図２および図３に示すように、ストライク孔３に係合して施錠状態とされ、ドア１は閉鎖状態に保持される。
【００４２】
ドア１の閉鎖状態において、サムターン３３をロック位置に向けて回動し、あるいは、シリンダ錠３４の施解錠用操作キーをロック位置に向けて回動操作すると、ロックカム３５がロック位置に向けて回転し、そのロックカム３５に設けられたカム突起４２がストッパ部材３１のフック片部４３を下向きに押圧する。その押圧によりストッパ部材３１が下降し、図５に示すように、ストッパ部材３１はカムアーム２０の先端部背面と前後で対向する状態となってカムアーム２０の解錠方向への揺動を阻止する。このため、レバーハンドル２８を解錠方向に揺動させることができず、ラッチボルト１４はロック状態に保持される。
【００４３】
ここで、ドア１が開放する状態でサムターンが誤ってロック位置まで回転操作されると、上記と同様に、ラッチボルト１４はロック状態に保持されることになる。
【００４４】
上記のようなラッチボルト１４のロック状態でドア１が閉鎖方向に揺動され、ラッチボルト１４の先端のラッチヘッド１６に形成された傾斜面１６ｂがドア枠２の縦枠２ａに当接すると、前述と同様に、ラッチボルト１４に押し込み力が負荷される。その押し込み力によりラッチボルト１４およびそのラッチボルト１４に連結された解除アーム３２が共に後退動し、その後退動初期において、解除アーム３２はロックカム３５を押圧する。
【００４５】
ロックカム３５は、解除アーム３２からの押圧によりロック解除位置に向けて揺動する。図６は、ロックカム３５の揺動途中の状態を示し、その状態からロックカム３５がさらに同方向に揺動すると、ピン４４がフック片部４３の端部下面に係合してストッパ部材３１を引き上げる。
【００４６】
このため、ロックカム３５は、図２に示すように、ロック解除位置まで上昇してラッチカム１９のロック、すなわち、ラッチボルト１４のロックを解除する。
【００４７】
このように、ドア１の開放状態でラッチボルト１４が誤操作によりロックされても、ドア１を閉鎖することにより、そのロックを自動的に解除して、ラッチボルト１４を後退動させることができるため、大きな衝撃音を発生させることがなく、また、縦枠やドア錠あるいはそのドア錠が取付けられたドアの損傷を防止することができる。
【符号の説明】
【００４８】
１１    錠ケース
１２    フロントプレート
１３    ラッチ挿入孔
１４    ラッチボルト
１６    ラッチヘッド
１８    ラッチばね
１９    ラッチカム
２０    カムアーム
２８    レバーハンドル
３０    ロック機構
３１    ストッパ部材
３２    解除アーム
３３    サムターン
３４    シリンダ錠
３５    ロックカム
【図１】
2012251334.tif 000003
【図２】
2012251334.tif 000004
【図３】
2012251334.tif 000005
【図４】
2012251334.tif 000006
【図５】
2012251334.tif 000007
【図６】
2012251334.tif 000008
【図７】
2012251334.tif 000009